(57)【要約】【課題】操作部が収納部に押し込まれた状態における意匠性を向上するとともに、操作部が収納部に押し込まれた状態であっても操作部の操作性がよい水栓の操作装置を提供することができる。【解決手段】水栓の操作装置２０は、操作部３０と収納部８０を備える。操作部３０は、回転軸Ｒ周りに回転自在に構成され、回転操作により吐水の温度調節と流量調節の一方を行うとともに、回転軸Ｒ方向に移動自在に構成され、移動操作により吐水状態と止水状態の切り替えを行う。収納部８０は、操作部３０の少なくとも一部を回転軸Ｒ方向に沿って収納する。操作部３０は、自身の外周面３０Ａを把持可能な位置まで収納部８０から突出した突出位置と、突出位置から収納部８０内に押し込まれた押し込み位置と、に移動操作により変位する構成であり、押し込み位置において、操作者が指を掛けて回転操作する指掛かり部３１を有する。【選択図】図３
2020153094.tif 000002
【特許請求の範囲】
【請求項１】
回転軸周りに回転自在に構成され、回転操作により吐水の温度調節と流量調節の一方を行うとともに、前記回転軸方向に移動自在に構成され、移動操作により吐水状態と止水状態の切り替えを行う操作部と、
前記操作部の少なくとも一部を前記回転軸方向に沿って収納する収納部と、を備え、
前記操作部は、
自身の外周面を把持可能な位置まで前記収納部から突出した突出位置と、前記突出位置から前記収納部内に押し込まれた押し込み位置と、に移動操作により変位する構成であり、
前記押し込み位置において、操作者が指を掛けて回転操作する指掛かり部を有する水栓の操作装置。
【請求項２】
前記指掛かり部は、前記操作部の外表面において前記回転軸から離れた位置に設けられている請求項１に記載の水栓の操作装置。
【請求項３】
前記指掛かり部は、前記操作部の回転操作量を指示する指示部を構成する請求項１または請求項２に記載の水栓の操作装置。
【請求項４】
前記指掛かり部は、前記操作部の外表面に形成された凹形状によって構成される請求項１から請求項３のいずれか１項に記載の水栓の操作装置。
【請求項５】
前記操作部が前記収納部から突出する方向を突出方向とした場合に、前記押し込み位置において、前記操作部の前記突出方向における端面が前記収納部の前記突出方向における端面と面一状をなす請求項１から請求項４のいずれか１項に記載の水栓の操作装置。
【発明の詳細な説明】
【技術分野】
【０００１】
本発明は水栓の操作装置に関する。
【背景技術】
【０００２】
特許文献１には吐水装置の操作部に係る構成が開示されている。この操作部は、流調ダイヤルボタンと温調ダイヤルを有する。吐水装置は、流調ダイヤルボタンの押圧操作により、吐止水が切り替えられ、流調ダイヤルボタンの回転操作により、吐水流量が調節される。また、吐水装置は、温調ダイヤルの回転操作により、吐水温度が調節される。
【０００３】
この操作部において、流調ダイヤルボタンは、止水状態においては、温調ダイヤルと略面一の面を形成し、止水状態から吐水状態への切替えに際しては、ワンタッチで温調ダイヤルの凹部から突出し、回転操作可能な状態となる。また、流調ダイヤルボタンは、その外部に露出する部分が、下面側を開放させた略逆シャーレ状の形状を有する。この略逆シャーレ状の形状を有する部分は、略円筒面をなす周壁部と、周壁部の上側に形成された平板状の天面部とを有しており、略円筒面が流調ダイヤルボタンを回転操作する際に指を掛ける面とされる。
【先行技術文献】
【特許文献】
【０００４】
【特許文献１】特開２０１６−１３８３７９号公報
【発明の概要】
【発明が解決しようとする課題】
【０００５】
特許文献１に開示の構成では、流調ダイヤルボタンが温調ダイヤル（収納部）に押し込まれた状態において、流調ダイヤルボタンの略円筒面に指を掛けることができず、流調ダイヤルボタンを操作することができない。他方、流調ダイヤルボタンが温調ダイヤルに押し込まれた状態であっても流調ダイヤルボタンを操作できるようにすべく、この状態でも略円筒面が外部に大きく露出するようにすると、操作部の意匠性が損なわれる虞があり問題がある。
【０００６】
本発明は、上記従来の実情に鑑みてなされたものであって、操作部が収納部に押し込まれた状態における意匠性を向上するとともに、操作部が収納部に押し込まれた状態であっても操作部の操作性がよい水栓の操作装置を提供することを解決すべき課題としている。
【課題を解決するための手段】
【０００７】
本発明の水栓の操作装置は、
回転軸周りに回転自在に構成され、回転操作により吐水の温度調節と流量調節の一方を行うとともに、前記回転軸方向に移動自在に構成され、移動操作により吐水状態と止水状態の切り替えを行う操作部と、
前記操作部の少なくとも一部を前記回転軸方向に沿って収納する収納部と、を備え、
前記操作部は、
自身の外周面を把持可能な位置まで前記収納部から突出した突出位置と、前記突出位置から前記収納部内に押し込まれた押し込み位置と、に移動操作により変位する構成であり、
前記押し込み位置において、操作者が指を掛けて回転操作する指掛かり部を有する。
【０００８】
この水栓の操作装置は、操作部の押し込み位置において、操作部の外周面が視認されにくく、すっきりとした外観となる。そして、操作部が指掛かり部を有するから、押し込み位置においても操作部を回転操作して吐水の温度調節と流量調節の一方を行うことができる。
【発明の効果】
【０００９】
本発明によれば、操作部が収納部に押し込まれた状態における意匠性を向上するとともに、操作部が収納部に押し込まれた状態であっても操作部の操作性がよい水栓の操作装置を提供することができる。
【図面の簡単な説明】
【００１０】
【図１】実施例１に係る洗面台を斜め上方から視た斜視図である。
【図２】第１操作部の突出状態において、水栓の操作装置を斜め上方から視た斜視図である。
【図３】第１操作部の押し込み状態において、水栓の操作装置を斜め上方から視た斜視図である。
【図４】（ａ）は、実施例２に係る第１操作部及び第２操作部を回転操作する前の状態において、第１指示部及び第２指示部を模式的に表す模式図である。（ｂ）は、第１操作部及び第２操作部を回転操作する過程を模式的に表す模式図である。（ｃ）は、第１操作部及び第２操作部を回転操作した後の状態において、第１指示部及び第２指示部を模式的に表す模式図である。
【発明を実施するための形態】
【００１１】
本発明における好ましい実施の形態を説明する。
【００１２】
本発明の水栓の操作装置において、前記指掛かり部は、前記操作部の外表面において前記回転軸から離れた位置に設けられていてもよい。この構成によれば、指掛かり部に指を掛けて操作部を回転操作しやすく、操作部の操作性がよい。
【００１３】
本発明の水栓の操作装置において、前記指掛かり部は、前記操作部の回転操作量を指示する指示部を構成してもよい。この構成によれば、指掛かり部により操作部の回転操作量を認識することができ、止水状態であっても吐水状態に切り替えた場合の吐水の温度や流量を推測可能となる。
【００１４】
本発明の水栓の操作装置において、前記指掛かり部は、前記操作部の外表面に形成された凹形状によって構成されてもよい。この構成によれば、操作部がすっきりとした外観となる。さらに、凹形状の指掛かり部に指を挿入する形で指を掛けることができ、操作部の操作性がよい。
【００１５】
本発明の水栓の操作装置において、前記操作部が前記収納部から突出する方向を突出方向とした場合に、前記押し込み位置において、前記操作部の前記突出方向における端面が前記収納部の前記突出方向における端面と面一状をなしてもよい。この構成によれば、押し込み位置において操作部の端面が収納部の端面と面一状をなすから、操作装置がよりすっきりとした外観となる。
【００１６】
次に、本発明の水栓の操作装置を具体化した実施例１について、図面を参照しつつ説明する。
【００１７】
＜実施例１＞
実施例１として、図１に示すように、洗面台１００に設けられた水栓１０の操作装置２０について例示する。以下、操作装置２０の操作状態において、操作者に面する側を前方、その反対側を後方（操作者から見て奥方）とし、また上側（図１の上側）を上方、下側（図１の下側）を下方として説明する。
【００１８】
洗面台１００には、洗面ボウル１０１の上部後方にバックガード１０３が設けられている。バックガード１０３は、前面から前方に突出する形で水栓１０の操作装置２０と水栓１０の吐水口１１が取り付けられている。以下の説明では、バックガード１０３の前面を、操作装置２０の取付面１０３Ａともいう。
【００１９】
水栓１０は、操作装置２０の後方に弁装置１３が設けられている。弁装置１３には、水を供給する給水管１５と湯を供給する給湯管１７が接続されるとともに、吐水口１１に連なる吐水管１９が接続されている。弁装置１３は、操作者が操作装置２０を操作することにより内部の弁体が移動するように構成されている。弁装置１３は、第１の弁体が移動すると、吐水管１９に連なる流路の流量が調節され、また、流路が開閉されて吐水状態と止水状態の切り替えが行われる。また、弁装置１３は、第２の弁体が移動すると、給湯管１７と給水管１５から内部に流入する湯水の混合比が変更されて吐水の温度が調節される。
【００２０】
操作装置２０は、図２及び図３に示すように、吐水の流量調節を行うとともに吐水状態と止水状態の切り替えを行う第１操作部３０（操作部）と、第１操作部３０を回転軸Ｒ方向に沿って収納する収納部８０と、を備えている。収納部８０は、吐水の温度調節を行う第２操作部４０と、第１操作部３０の回転操作量を表示する表示部５０と、によって構成される。操作装置２０は、２つの操作部３０，４０と表示部５０が、取付面１０３Ａの前方に突出する形で一体的に設けられている。操作装置２０は、多機能でありながらすっきりとした外観を呈し、意匠性に優れる。
【００２１】
第１操作部３０は、回転軸Ｒ周りに回転自在に構成され、回転操作により吐水の流量調節を行う。具体的には、第１操作部３０は、略有底円筒状をなし、筒軸を回転軸Ｒと一致させた姿勢で弁装置１３に対して組み付けられている。第１操作部３０は、時計回り方向と反時計回り方向のいずれにも回転させることができるようになっている。第１操作部３０の回転操作により吐水の流量が調節される態様は、特に限定するものではないが、例えば、第１操作部３０の回転操作量に応じて弁装置１３内の第１の弁体が回転軸Ｒ方向に移動して、吐水管１９に連なる流路の開度が変更される態様とすることができる。
【００２２】
第１操作部３０は、回転軸Ｒ方向に移動自在に構成され、移動操作により吐水状態と止水状態の切り替えを行う。具体的には、第１操作部３０は、自身の外周面３０Ａを把持可能な位置まで収納部８０から突出した突出位置（図２参照）と、突出位置から収納部８０内に押し込まれた押し込み位置（図３参照）と、に移動操作により変位する構成である。第１操作部３０は、端面３０Ｂを押圧される毎に、突出位置と押し込み位置とに繰り返し移動するようになっている。第１操作部３０の移動操作により吐止水の切り替えが行われる態様は、特に限定するものではないが、例えば、第１操作部３０の変位に伴って第１の弁体が回転軸Ｒ方向に移動して、吐水管１９に連通する流路が開閉される態様とすることができる。
【００２３】
図３に示すように、操作装置２０は、第１操作部３０が収納部８０から突出する方向を突出方向とした場合に、押し込み位置において、第１操作部３０の突出方向における端面３０Ｂが収納部８０の突出方向における端面８０Ａと面一状をなす。詳細には、第１操作部３０の前面と外周面３０Ａとの間の角部はＲ形状に面取りされており、面取りされた部分の内周側に位置する端面３０Ｂが収納部８０の端面８０Ａと同一平面状に配されている。この第１操作部３０の押し込み位置は、第１操作部３０の外周面３０Ａを把持不能な位置まで収納部８０に収納された位置とされる。なお、第１操作部３０の外周面３０Ａには、回転軸Ｒの方向に沿って延びる複数の突条が連続して設けられており、第１操作部３０の突出状態においては、外周面３０Ａを把持して第１操作部３０を回転操作し易くなっている（図２参照）。
【００２４】
第１操作部３０は、押し込み位置において、操作者が指を掛けて回転操作する指掛かり部３１を有する。指掛かり部３１は、第１操作部３０の外表面３３に形成された凹形状によって構成される。指掛かり部３１は、第１操作部３０の外表面３３において回転軸Ｒから離れた位置に設けられている。具体的には、指掛かり部３１は、平面視にて指先よりやや大きな円形とされ、平坦な端面３０Ｂから曲面状に凹んだ形をなす。指掛かり部３１は、第１操作部３０を回転操作する際に指で押圧される押圧面を有する。このような構成により、例えば、操作者は指掛かり部３１の内面に指を掛けて、第１操作部３０を回転操作することができる。
【００２５】
第２操作部４０は、回転軸Ｒ周りに回転自在に構成され、回転操作により温度調節を行う。具体的には、第２操作部４０は、略円筒状をなし、筒軸を回転軸Ｒと一致させた姿勢で弁装置１３に対して組み付けられている。第２操作部４０は、時計回り方向と反時計回り方向のいずれにも回転させることができるようになっている。第２操作部４０の回転操作により吐水の温度が調節される態様は、特に限定するものではないが、例えば、第２操作部４０の回転操作量に応じて弁装置内の第２の弁体が回転軸Ｒ方向に移動して、給湯管１７と連通する湯側ポートと給水管１５と連通する水側ポートの開度配分が変更される態様とすることができる。
【００２６】
第２操作部４０は、回転操作時に把持される第２把持部４１（把持部）を有する。本実施例では、第２把持部４１は、第２操作部４０の外周面４０Ａと、外周面４０Ａから径方向に突出する凸部４３と、によって構成される。凸部４３は、第２操作部４０を操作する際に、操作者の指が掛かる指掛かり部とされる。このような構成により、例えば、操作者は凸部４３の側面に指をあてがいつつ外周面４０Ａの両側をつまむように把持して、第２操作部４０を回転操作することができる。
【００２７】
収納部８０は、第２操作部４０と表示部５０により、第１操作部３０を収納するための収納空間を形成する。具体的には、第２操作部４０は、第１操作部３０と同軸上に配され、第１操作部３０の周囲を囲む周壁部を形成する。表示部５０は、第２操作部４０の前方において第１操作部３０を囲む円環状をなし、第１操作部３０を進退可能に挿通する挿通孔５１を形成する。この表示部５０は、第１操作部３０と第２操作部４０の間に配されるとともに回転軸Ｒ周りに回転不能に構成されている。
【００２８】
図３に示すように、本実施例における第１操作部３０の回転操作量の表示態様は、第１操作部３０が第１指示部６１を有し、表示部５０が第１被指示部７１を有する態様とされる。第１指示部６１は、第１操作部３０の指掛かり部３１によって構成される。第１被指示部７１は、表示部５０の前面（収納部８０の端面８０Ａ）において、第１操作部３０の回転操作に伴って第１指示部６１が指示する領域に亘って形成されている。第１被指示部７１は、第１指示部６１が指示する領域の一端に設けられた「−（マイナス記号）」と、他端に設けられた「＋（プラス記号）」と、これらの間に配された線によって構成される。表示部５０は、第１操作部３０の回転操作量に応じて、第１被指示部７１において第１指示部６１が指示する位置が変化することにより、流量の大小を表す。詳細には、第１指示部６１が「−（マイナス記号）」を指示する状態では、流量が少ないことを示し、第１指示部６１が「−（マイナス記号）」から「＋（プラス記号）」に近づくにつれて流量が多くなることを示す。
【００２９】
また、本実施例における第２操作部４０の回転操作量の表示態様は、第２操作部４０が第２指示部６３を有し、取付面１０３Ａが第２被指示部７３を有する態様とされる。第２指示部６３は、第２操作部４０の凸部４３によって構成される。第２被指示部７３は、第２指示部６３が指示する領域に亘って形成されている。第２被指示部７３は、第２指示部６３が指示する領域の一端に設けられた水を表す青色の丸と、その他の領域に設けられた湯を表す赤色の線とによって構成される。第２操作部４０の回転操作量を表示する表示部は、第２操作部４０の回転操作量に応じて、第２被指示部７３において第２指示部６３が指示する色と位置が変化することにより、吐水の温度を表す。詳細には、指示部６０が青色の丸を指示する状態では、水が吐水されることを示し、指示部６０が赤色の線を指示する状態では、青色の丸からの距離が大きくなるにつれて吐水の温度が高くなることを示す。
【００３０】
以上説明したように、本実施例の水栓１０の操作装置２０は、回転軸Ｒ周りに回転自在に構成され、回転操作により吐水の流量調節を行うとともに、回転軸Ｒ方向に移動自在に構成され、移動操作により吐水状態と止水状態の切り替えを行う第１操作部３０と、第１操作部３０の少なくとも一部を回転軸Ｒ方向に沿って収納する収納部８０と、を備える。第１操作部３０は、自身の外周面３０Ａを把持可能な位置まで収納部８０から突出した突出位置と、突出位置から収納部８０内に押し込まれた押し込み位置と、に移動操作により変位する構成であり、押し込み位置において、操作者が指を掛けて回転操作する指掛かり部３１を有する。
【００３１】
この水栓１０の操作装置２０は、第１操作部３０の押し込み位置において、第１操作部３０の外周面３０Ａが視認されにくく、すっきりとした外観となる。そして、第１操作部３０が指掛かり部３１を有するから、押し込み位置においても第１操作部３０を回転操作して吐水の流量調節を行うことができる。
【００３２】
したがって、第１操作部３０が収納部８０に押し込まれた状態における意匠性を向上するとともに、第１操作部３０が収納部８０に押し込まれた状態であっても第１操作部３０の操作性がよい水栓１０の操作装置２０を提供することができる。
【００３３】
本実施例では、指掛かり部３１は、第１操作部３０の外表面３３において回転軸Ｒから離れた位置に設けられている。この構成によれば、指掛かり部３１に指を掛けて第１操作部３０を回転操作しやすく、第１操作部３０の操作性がよい。
【００３４】
本実施例では、指掛かり部３１は、第１操作部３０の回転操作量を指示する第１指示部６１を構成する。この構成によれば、指掛かり部３１により第１操作部３０の回転操作量を認識することができ、止水状態であっても吐水状態に切り替えた場合の吐水の流量を推測可能となる。
【００３５】
本実施例では、指掛かり部３１は、第１操作部３０の外表面３３に形成された凹形状によって構成される。この構成によれば、第１操作部３０がすっきりとした外観となる。さらに、凹形状の指掛かり部３１に指を挿入する形で指を掛けることができ、第１操作部３０の操作性がよい。
【００３６】
本実施例では、第１操作部３０が収納部８０から突出する方向を突出方向とした場合に、押し込み位置において、第１操作部３０の突出方向における端面３０Ｂが収納部８０の突出方向における端面８０Ａと面一状をなす。この構成によれば、押し込み位置において第１操作部３０の端面３０Ｂが収納部８０の端面８０Ａと面一状をなすから、操作装置２０がよりすっきりとした外観となる。
【００３７】
＜実施例２＞
次に、実施例２に係る水栓１０の操作装置２２０について図４を参照しつつ説明する。実施例２の水栓１０の操作装置２２０は、第２操作部４０の第２指示部２６３の位置が実施例１と相違する。なお、実施例１と同様の構成は同一の符号を付し、詳細な説明を省略する。
【００３８】
第１指示部６１と第２指示部２６３は、回転軸Ｒ周りにおいて互いの可動域が重ならないように配置されている。詳細には、操作装置２２０を前方から見て、第１指示部６１は実施例１と同様に回転軸Ｒに対して左側に配される一方、第２指示部２６３は回転軸Ｒに対して右側に配される。第２被指示部２７３は、第２指示部２６３の可動域の下端に設けられた水を表す青色の丸と、上端に設けられた湯を表す赤色の丸によって構成される。この構成によれば、第１指示部６１と第２指示部２６３の各々が指示する第１操作部３０の回転操作量と第２操作部４０の回転操作量を判別しやすくなる。
【００３９】
本発明は上記記述及び図面によって説明した実施例に限定されるものではなく、例えば次のような実施例も本発明の技術的範囲に含まれる。
（１）実施例１、実施例２では、第１操作部が吐水の流量調節を行い、第２操作部が吐水の温度調節を行うものを例示したが、これに限られない。例えば、第１操作部が吐水の温度調節を行い、第２操作部が吐水の流量調節を行うものであってもよい。
（２）実施例１、実施例２では、収納部が第２操作部と表示部によって構成されるものを例示したが、これに限られない。例えば、収納部は第２操作部のみによって構成されてもよい。また、収納部はバックガードやカウンター等によって構成されてもよい。
（３）実施例１、実施例２では、押し込み状態において第１操作部が収納部に収納される構成を例示したが、これに限られず、第１操作部は、少なくとも一部が収納部に収納される構成であればよい。第１操作部は、押し込み状態において、一部が収納部の端面（表示部の前面）から突出して、収納部に略収納された状態であってもよい。
（４）実施例１、実施例２以外にも、指掛かり部の形状、位置は適宜変更可能である。例えば、指掛かり部は、第１操作部の外表面から突出する凸形状によって構成されていてもよく、また、第１操作部の外周面と端面とを一部切り欠く形の切り欠き部によって構成されていてもよい。
（５）実施例１、実施例２以外にも、第１操作部と第２操作部の配置、形状は適宜変更可能である。
（６）実施例１、実施例２以外にも、指掛かり部が第１操作部の回転操作量を指示する態様は適宜変更可能である。指掛かり部は、被指示部を指示することにより操作者が操作部の回転操作量を認識できるような表示を表すものであればよい。例えば、指掛かり部が操作部の外表面において回転軸から離れた位置に設けられている構成以外にも、指掛かり部が回転軸を含む位置から回転軸から離れる一の方向に向かって延びる形状をなし、一の方向を指示する態様としてもよい。被指示部は、指示部が指示する範囲に亘って形成された流量の大小に対応する図形や、水や湯を想起する文字や色等を表してもよい。このような被指示部を設けることにより、指掛かり部が指す被指示部の位置により操作部の回転操作量を表すことができる。また、このような被指示部を設けず、指掛かり部の回転軸に対する位置により操作部の回転操作量を指示してもよい。
【符号の説明】
【００４０】
１０…水栓
２０，２２０…操作装置
３０…第１操作部（操作部）
３０Ａ…外周面
３０Ｂ…端面
３１…指掛かり部
３３…外表面
６０…指示部
８０…収納部
８０Ａ…端面
Ｒ…回転軸
【図１】
2020153094.tif 000003
【図２】
2020153094.tif 000004
【図３】
2020153094.tif 000005
【図４】
2020153094.tif 000006